(57)【特許請求の範囲】
【請求項１】
複数の撮像編集装置と印刷装置を有し、前記撮像編集装置において、写真シール作成ゲームとして、利用者に、前記利用者を被写体とする撮影作業、および、前記撮影作業により得られた前記利用者の画像に対して編集情報を入力する編集入力作業を行わせ、さらに、前記印刷装置において、得られた編集済みの前記利用者の画像を所定のシールシートに印刷し、印刷された前記シールシートを排出し、写真シールとして前記利用者に提供する写真シール作成システムであって、
複数の前記撮像編集装置は、それぞれ、
被写体を撮像する撮像手段と、
前記利用者からの入力に基づいて、前記撮像手段により得られた前記被写体の画像データを編集する編集手段と、
前記編集手段により編集された前記画像データを、前記利用者を識別する利用者識別情報とともに前記印刷装置に送信する送信手段と、
前記利用者に、前記写真シール作成ゲームを終了するか否かを確認する確認手段と、
前記確認手段により前記写真シール作成ゲームを終了することが確認された場合、前記利用者に対して前記印刷装置への移動案内を行い、前記確認手段により前記写真シール作成ゲームを終了しないことが確認された場合、前記利用者に対して他の撮像編集装置への移動案内を行う移動案内手段と、
前記送信手段により送信された前記画像データに基づいて作成された写真シールを正当な利用者に提供するために前記印刷装置により行われる要求に応じて、要求された利用者の認証を行う認証手段と
を備え、
前記印刷装置は、
複数の前記撮像編集装置のそれぞれから送信される前記画像データ、および、前記画像データを作成する前記写真シール作成ゲームを行う利用者を識別する利用者識別情報を受信する画像データ受信手段と、
前記画像データ受信手段により受信された前記画像データを前記シールシートに印刷して前記写真シールを作成する印刷手段と、
前記写真シールを収納する収納庫を複数有し、前記画像データ受信手段により前記画像データとともに受信された前記利用者識別情報に基づいて、前記印刷手段により印刷されて作成された前記写真シールを前記利用者毎に異なる収納庫に保管する保管手段と、
前記利用者識別情報を受け付ける利用者識別情報受付手段と、
前記利用者識別情報受付手段により受け付けられた前記利用者識別情報の認証の要求を、前記撮像編集装置に送信する認証要求送信手段と、
前記認証要求送信手段により送信された前記要求に基づいて行われた認証の結果を受信する認証結果受信手段と、
前記撮像編集装置により認証された前記利用者識別情報に対応する収納庫を選択し、前記保管手段により前記収納庫に保管された前記写真シールを排出口より排出させる排出制御手段と
を備える写真シール作成システム。
【請求項２】
写真シール作成ゲームとして、利用者に、前記利用者を被写体とする撮影作業、および、前記撮影作業により得られた前記利用者の画像に対して編集情報を入力する編集入力作業を行わせる撮像編集装置であって、
被写体を撮像する撮像手段と、
前記利用者からの入力に基づいて、前記撮像手段により得られた前記被写体の画像データを編集する編集手段と、
前記編集手段により編集された前記画像データを、前記利用者を識別する利用者識別情報とともに、前記撮像編集装置自身も含めた複数の撮像編集装置から供給される画像データを所定のシールシートに印刷し、写真シールとして前記利用者に提供する写真シール印刷装置に送信する送信手段と、
前記利用者に、前記写真シール作成ゲームを終了するか否かを確認する確認手段と、
前記確認手段により前記写真シール作成ゲームを終了することが確認された場合、前記利用者に対して前記写真シール印刷装置への移動案内を行い、前記確認手段により前記写真シール作成ゲームを終了しないことが確認された場合、前記利用者に対して他の撮像編集装置への移動案内を行う移動案内手段と、
前記送信手段により送信された前記画像データに基づいて作成された写真シールを正当な利用者に提供するために前記写真シール印刷装置により行われる要求に応じて、要求された利用者の認証を行う認証手段と
を備える撮像編集装置。
【請求項３】
前記利用者識別情報の入力を受け付ける利用者識別情報入力受付手段と、
前記利用者識別情報入力受付手段により受け付けられた前記利用者識別情報を記憶する記憶手段と
をさらに備え、
前記認証手段は、前記記憶手段により記憶された前記利用者識別情報を用いて、前記写真シール印刷装置により要求された利用者の認証を行う
請求項２に記載の撮像編集装置。
【請求項４】
前記認証手段による認証結果を前記写真シール印刷装置に送信する認証結果送信手段をさらに備える
請求項３に記載の撮像編集装置。
【請求項５】
前記認証結果送信手段は、前記認証手段により前記利用者識別情報が認証された場合、前記認証結果として、前記写真シールを排出するためのパスワードを前記写真シール印刷装置に送信する
請求項４に記載の撮像編集装置。
【請求項６】
前記記憶手段は、前記利用者識別情報と、前記利用者に対応する画像データを関連付けて記憶し、
前記認証結果送信手段は、前記認証手段により前記利用者識別情報が認証された場合、前記認証結果として、さらに、前記記憶手段により記憶されている、認証された利用者に対応する画像データを送信する
請求項４に記載の撮像編集装置。
【請求項７】
前記利用者識別情報は、前記利用者の携帯電話機に付与された電子メールアドレスである
請求項３に記載の撮像編集装置。
【請求項８】
写真シール作成ゲームとして、利用者に、前記利用者を被写体とする撮影作業、および、前記撮影作業により得られた前記利用者の画像に対して編集情報を入力する編集入力作業を行わせる撮像編集装置の撮像編集方法であって、
被写体を撮像し、
前記利用者からの入力に基づいて、前記撮像により得られた前記被写体の画像データを編集し、
編集された前記画像データを、前記利用者を識別する利用者識別情報とともに、前記撮像編集装置自身も含めた複数の撮像編集装置から供給される画像データを所定のシールシートに印刷し、写真シールとして前記利用者に提供する写真シール印刷装置に送信し、
前記利用者に、前記写真シール作成ゲームを終了するか否かを確認し、
前記写真シール作成ゲームを終了することが確認された場合、前記利用者に対して前記写真シール印刷装置への移動案内を行い、前記写真シール作成ゲームを終了しないことが確認された場合、前記利用者に対して他の撮像編集装置への移動案内を行い、
送信された前記画像データに基づいて作成された写真シールを正当な利用者に提供するために前記写真シール印刷装置により行われる要求に応じて、要求された利用者の認証を行う
ステップを含む撮像編集方法。
【請求項９】
写真シール作成ゲームとして、利用者に、前記利用者を被写体とする撮影作業、および、前記撮影作業により得られた前記利用者の画像に対して編集情報を入力する編集入力作業を行わせる撮像編集装置に実行させるプログラムであって、
被写体を撮像し、
前記利用者からの入力に基づいて、前記撮像により得られた前記被写体の画像データを編集し、
編集された前記画像データを、前記利用者を識別する利用者識別情報とともに、前記撮像編集装置自身も含めた複数の撮像編集装置から供給される画像データを所定のシールシートに印刷し、写真シールとして前記利用者に提供する写真シール印刷装置に送信し、
前記利用者に、前記写真シール作成ゲームを終了するか否かを確認し、
前記写真シール作成ゲームを終了することが確認された場合、前記利用者に対して前記写真シール印刷装置への移動案内を行い、前記写真シール作成ゲームを終了しないことが確認された場合、前記利用者に対して他の撮像編集装置への移動案内を行い、
送信された前記画像データに基づいて作成された写真シールを正当な利用者に提供するために前記写真シール印刷装置により行われる要求に応じて、要求された利用者の認証を行う
ステップを含むプログラム。
【請求項１０】
撮像編集装置において、写真シール作成ゲームとして、利用者に、前記利用者を被写体とする撮影作業、および、前記撮影作業により得られた前記利用者の画像に対して編集情報を入力する編集入力作業を行わせて得られた画像である、編集済みの前記利用者の画像を所定のシールシートに印刷し、印刷された前記シールシートを排出し、写真シールとして前記利用者に提供する写真シール印刷装置であって、
複数の前記撮像編集装置のそれぞれから送信される前記画像データ、および、前記画像データを作成する前記写真シール作成ゲームを行う利用者を識別する利用者識別情報を受信する画像データ受信手段と、
前記画像データ受信手段により受信された前記画像データを前記シールシートに印刷し、前記写真シールを作成する印刷手段と、
前記写真シールを収納する収納庫を複数有し、前記画像データ受信手段により前記画像データとともに受信された前記利用者識別情報に基づいて、前記印刷手段により印刷されて作成された前記写真シールを前記利用者毎に異なる収納庫に保管する保管手段と、
前記利用者識別情報を受け付ける利用者識別情報受付手段と、
前記利用者識別情報受付手段により受け付けられた前記利用者識別情報の認証の要求を、前記撮像編集装置に送信する送信手段と、
前記送信手段により送信された前記要求に基づいて行われた認証の結果を受信する認証結果受信手段と、
前記撮像編集装置により認証された前記利用者識別情報に対応する収納庫を選択し、前記保管手段により前記収納庫に保管された前記写真シールを排出口より排出させる排出制御手段と
を備える写真シール印刷装置。
【請求項１１】
前記排出制御手段は、
前記写真シールを排出させる際に前記収納庫の鍵を開錠する開錠手段と、
前記写真シールの排出が完了した後、前記鍵を施錠する施錠手段と
を備える
請求項１０に記載の写真シール印刷装置。
【請求項１２】
前記利用者識別情報は、前記利用者の携帯電話機に付与された電子メールアドレスであり、
前記利用者識別情報受付手段は、前記携帯電話機より送信される電子メールを受信し、
送信元の電子メールアドレスを前記利用者識別情報として受け付ける
請求項１０に記載の写真シール印刷装置。
【請求項１３】
前記写真シールを排出するためのパスワードを表示する表示手段と、
前記表示手段により表示された前記パスワードの入力を受け付けるパスワード入力受付手段と
をさらに備え、
前記認証結果受信手段は、前記認証結果として、前記利用者識別情報に対応する前記画像データ、および前記画像データに対応する前記パスワードを受信し、
前記表示手段は、前記認証結果受信手段により受信された前記パスワードを表示し、
前記排出制御手段は、前記パスワード入力受付手段により、前記表示手段に表示された前記パスワードが受け付けられた場合、前記写真シールを排出させる
請求項１０に記載の写真シール印刷装置。
【請求項１４】
前記保管手段により保管されている前記写真シールを回収口に送出し、管理者に回収させる回収手段をさらに備える
請求項１０に記載の写真シール印刷装置。
【請求項１５】
前記印刷手段は、前記画像データおよび前記利用者識別情報を前記シールシートに印刷する
請求項１０に記載の写真シール印刷装置。
【請求項１６】
撮像編集装置において、写真シール作成ゲームとして、利用者に、前記利用者を被写体とする撮影作業、および、前記撮影作業により得られた前記利用者の画像に対して編集情報を入力する編集入力作業を行わせて得られた画像である、編集済みの前記利用者の画像を所定のシールシートに印刷し、印刷された前記シールシートを排出し、写真シールとして前記利用者に提供する写真シール印刷装置の写真シール印刷方法であって、
複数の前記撮像編集装置のそれぞれから送信される前記画像データ、および、前記画像データを作成する前記写真シール作成ゲームを行う利用者を識別する利用者識別情報を受信し、
受信された前記画像データを前記シールシートに印刷し、前記写真シールを作成し、
前記写真シールを収納する収納庫を複数有し、前記画像データとともに受信された前記利用者識別情報に基づいて、印刷されて作成された前記写真シールを前記利用者毎に異なる収納庫に保管し、
前記利用者識別情報を受け付け、
受け付けられた前記利用者識別情報の認証の要求を、前記撮像編集装置に送信し、
送信された前記要求に基づいて行われた認証の結果を受信し、
前記撮像編集装置により認証された前記利用者識別情報に対応する収納庫を選択し、前記収納庫に保管された前記写真シールを排出口より排出させる
ステップを含む写真シール印刷方法。
【請求項１７】
撮像編集装置において、写真シール作成ゲームとして、利用者に、前記利用者を被写体とする撮影作業、および、前記撮影作業により得られた前記利用者の画像に対して編集情報を入力する編集入力作業を行わせて得られた画像である、編集済みの前記利用者の画像を所定のシールシートに印刷し、印刷された前記シールシートを排出し、写真シールとして前記利用者に提供する処理を行うプログラムであって、
複数の前記撮像編集装置のそれぞれから送信される前記画像データ、および、前記画像データを作成する前記写真シール作成ゲームを行う利用者を識別する利用者識別情報を受信し、
受信された前記画像データを前記シールシートに印刷し、前記写真シールを作成し、
前記写真シールを収納する収納庫を複数有し、前記画像データとともに受信された前記利用者識別情報に基づいて、印刷されて作成された前記写真シールを前記利用者毎に異なる収納庫に保管し、
前記利用者識別情報を受け付け、
受け付けられた前記利用者識別情報の認証の要求を、前記撮像編集装置に送信し、
送信された前記要求に基づいて行われた認証の結果を受信し、
前記撮像編集装置により認証された前記利用者識別情報に対応する収納庫を選択し、前記収納庫に保管された前記写真シールを排出口より排出させる
ステップを含むプログラム。
【発明の詳細な説明】
【技術分野】
【０００１】
本発明は、写真シール作成システム、撮像編集装置および方法、写真シール印刷装置および方法、並びにプログラムに関し、特に、写真シール作成ゲームの回転率を向上させることにより、収益性を向上させることができるようにした写真シール作成システム、撮像編集装置および方法、写真シール印刷装置および方法、並びにプログラムに関する。
【背景技術】
【０００２】
従来、利用者（被写体）を撮影し、得られた被写体の画像を予め用意されたフレーム画像、スタンプ画像、または手書きの線画像の落書き入力画像と合成する編集処理を行い、シール紙に印刷し、利用者に提供する写真シール作成装置が知られている。
【０００３】
このような写真シール作成装置において、利用者の回転率を向上させるために、写真シールを作成する写真シール作成ゲームの進行を一部重複させ、同時に２組の利用者を接客（２重接客）するものがある（例えば、特許文献１および特許文献２参照）。
【０００４】
このような２重接客可能な写真シール作成装置は、１つの筐体により構成され、その筐体の各側面を利用して、利用者が撮影作業を行う撮影空間と、利用者が撮影画像に対して編集（落書き）作業を行う編集空間とが設けられ、さらにその筐体内部にその編集済みの画像をシール紙に印刷する印刷機が設けられている。つまり、この場合、利用者は、１台の写真シール作成装置（１筐体）において、撮影、編集、印刷物受け取り等の、写真シール作成ゲームにおける１連の処理を行い、ゲームを終了させる。
【０００５】
【特許文献１】特許第３４１８３８７号
【特許文献２】特許第３４０９２６０号
【発明の開示】
【発明が解決しようとする課題】
【０００６】
しかしながら、上述したような構成にすることにより、写真シール作成装置の筐体が大型化してきた。このような写真シール作成装置は、例えば、ゲームセンタ等の遊戯施設場に設置されることが多く、設置スペースに限りのある遊戯施設場においては、その筐体の大きさにより設置可能な場所が限定されてしまう恐れがあった。
【０００７】
また、このような写真シール作成装置は、遊戯施設場において、通常、複数の装置が近隣に設置される。そのため、１回の写真シール作成ゲームだけで満足せずに、それらの複数の写真シール作成装置を巡って、複数回写真シール作成ゲームを楽しむ利用者も多いが、上述したような写真シール作成装置の場合、利用者は、上述したように、１つの筐体において撮影から写真シールの受け取りまで、写真シール作成ゲームの作業を全て終了させなければない。そのため、複数の写真シール作成装置を利用する利用者は、各装置において、編集作業完了後も印刷が完了するまで待機しなければならない等、不要な待機時間が必要になり、回転率が低下し、収益性が低下する恐れがあった。また、これにより、利用者の満足度が低下し、再度利用する利用者、所謂、リピータの低下にも繋がり、収益性がさらに低下する恐れがあった。
【０００８】
本発明は、このような状況に鑑みてなされたものであり、写真シールの印刷を他の筐体において行うようにし、収益性を向上させるようにするものである。
【課題を解決するための手段】
【０００９】
本発明の一側面は、複数の撮像編集装置と印刷装置を有し、前記撮像編集装置において、写真シール作成ゲームとして、利用者に、前記利用者を被写体とする撮影作業、および、前記撮影作業により得られた前記利用者の画像に対して編集情報を入力する編集入力作業を行わせ、さらに、前記印刷装置において、得られた編集済みの前記利用者の画像を所定のシールシートに印刷し、印刷された前記シールシートを排出し、写真シールとして前記利用者に提供する写真シール作成システムであって、複数の前記撮像編集装置は、それぞれ、被写体を撮像する撮像手段と、前記利用者からの入力に基づいて、前記撮像手段により得られた前記被写体の画像データを編集する編集手段と、前記編集手段により編集された前記画像データを、前記利用者を識別する利用者識別情報とともに前記印刷装置に送信する送信手段と、前記利用者に、前記写真シール作成ゲームを終了するか否かを確認する確認手段と、前記確認手段により前記写真シール作成ゲームを終了することが確認された場合、前記利用者に対して前記印刷装置への移動案内を行い、前記確認手段により前記写真シール作成ゲームを終了しないことが確認された場合、前記利用者に対して他の撮像編集装置への移動案内を行う移動案内手段と、前記送信手段により送信された前記画像データに基づいて作成された写真シールを正当な利用者に提供するために前記印刷装置により行われる要求に応じて、要求された利用者の認証を行う認証手段とを備え、前記印刷装置は、複数の前記撮像編集装置のそれぞれから送信される前記画像データ、および、前記画像データを作成する前記写真シール作成ゲームを行う利用者を識別する利用者識別情報を受信する画像データ受信手段と、前記画像データ受信手段により受信された前記画像データを前記シールシートに印刷して前記写真シールを作成する印刷手段と、前記写真シールを収納する収納庫を複数有し、前記画像データ受信手段により前記画像データとともに受信された前記利用者識別情報に基づいて、前記印刷手段により印刷されて作成された前記写真シールを前記利用者毎に異なる収納庫に保管する保管手段と、前記利用者識別情報を受け付ける利用者識別情報受付手段と、前記利用者識別情報受付手段により受け付けられた前記利用者識別情報の認証の要求を、前記撮像編集装置に送信する認証要求送信手段と、前記認証要求送信手段により送信された前記要求に基づいて行われた認証の結果を受信する認証結果受信手段と、前記撮像編集装置により認証された前記利用者識別情報に対応する収納庫を選択し、前記保管手段により前記収納庫に保管された前記写真シールを排出口より排出させる排出制御手段とを備える写真シール作成システムである。
【００１０】
この撮像手段は、例えば、撮像処理部により構成され、編集手段は、例えば、編集処理部により構成され、送信手段は、例えば、データ送信処理部により構成され、確認手段は、例えば、編集処理部により構成され、移動案内手段は、例えば、移動案内処理部により構成され、認証手段は、例えば、認証処理部により構成され、画像データ受信手段は、例えば、画像データ受信処理部により構成され、印刷手段は、例えば、印刷処理部により構成され、保管手段は、例えば、写真シール保管トレイにより構成され、利用者識別情報受付手段は、例えば、電子メールアドレス受付処理部により構成され、認証要求送信手段は、例えば、認証要求処理部により構成され、認証結果受信手段は、例えば、認証要求処理部により構成され、排出制御手段は、例えば、排出処理部により構成される。
【００１１】
本発明の写真シール作成システムにおいては、複数の撮像編集装置においては、それぞれ、被写体が撮像され、利用者からの入力が受け付けられ、利用者からの入力に基づいて、被写体の画像データが編集され、編集された画像データが、利用者を識別する利用者識別情報とともに印刷装置に送信され、利用者に対して写真シール作成ゲームを終了するか否かが確認され、写真シール作成ゲームを終了することが確認された場合、利用者に対して印刷装置への移動案内が行われ、写真シール作成ゲームを終了しないことが確認された場合、利用者に対して他の撮像編集装置への移動案内が行われ、送信された前記画像データに基づいて作成された写真シールを正当な利用者に提供するために前記印刷装置により行われる要求に応じて、要求された利用者の認証が行われる。また、印刷装置においては、複数の撮像編集装置のそれぞれから送信される画像データ、および、その画像データを作成する写真シール作成ゲームを行う利用者を識別する利用者識別情報が受信され、受信された画像データがシールシートに印刷されて写真シールが作成され、写真シールを収納する収納庫が複数設けられ、画像データとともに受信された利用者識別情報に基づいて、印刷されて作成された写真シールが利用者毎に異なる収納庫に保管され、利用者識別情報が受け付けられ、受け付けられた前記利用者識別情報の認証の要求が、前記撮像編集装置に送信され、その送信された要求に基づいて行われた認証の結果が受信され、認証された利用者識別情報に対応する収納庫が選択され、その収納庫に保管された写真シールが排出口より排出される。
【００１２】
従って、写真シール作成システムは、撮像編集装置において作成された印刷データを、印刷装置において印刷させることにより、利用者が印刷の完了をまたずに連続して写真シール作成ゲームを複数回行うことができるようにし、回転率を向上させ、収益性を向上させることができる。
【００１３】
本発明の他の側面は、写真シール作成ゲームとして、利用者に、前記利用者を被写体とする撮影作業、および、前記撮影作業により得られた前記利用者の画像に対して編集情報を入力する編集入力作業を行わせる撮像編集装置であって、被写体を撮像する撮像手段と、前記利用者からの入力に基づいて、前記撮像手段により得られた前記被写体の画像データを編集する編集手段と、前記編集手段により編集された前記画像データを、前記利用者を識別する利用者識別情報とともに、前記撮像編集装置自身も含めた複数の撮像編集装置から供給される画像データを所定のシールシートに印刷し、写真シールとして前記利用者に提供する写真シール印刷装置に送信する送信手段と、前記利用者に、前記写真シール作成ゲームを終了するか否かを確認する確認手段と、前記確認手段により前記写真シール作成ゲームを終了することが確認された場合、前記利用者に対して前記写真シール印刷装置への移動案内を行い、前記確認手段により前記写真シール作成ゲームを終了しないことが確認された場合、前記利用者に対して他の撮像編集装置への移動案内を行う移動案内手段と、前記送信手段により送信された前記画像データに基づいて作成された写真シールを正当な利用者に提供するために前記写真シール印刷装置により行われる要求に応じて、要求された利用者の認証を行う認証手段とを備える撮像編集装置である。
【００１４】
この撮像手段は、例えば、撮像処理部により構成され、編集手段は、例えば、編集処理部により構成され、送信手段は、例えば、データ送信処理部により構成され、確認手段は、例えば、編集処理部により構成され、移動案内手段は、例えば、移動案内処理部により構成され、認証手段は、例えば、認証処理部により構成される。
【００１５】
本発明の撮像編集装置においては、被写体が撮像され、利用者からの入力に基づいて、被写体の画像データが編集され、その編集された画像データが、利用者を識別する利用者識別情報とともに、撮像編集装置自身も含めた複数の撮像編集装置から供給される画像データを所定のシールシートに印刷し、写真シールとして利用者に提供する写真シール印刷装置に送信され、利用者に対して写真シール作成ゲームを終了するか否かが確認され、写真シール作成ゲームを終了することが確認された場合、利用者に対して写真シール印刷装置への移動案内が行われ、写真シール作成ゲームを終了しないことが確認された場合、利用者に対して他の撮像編集装置への移動案内が行われ、その送信された画像データに基づいて作成された写真シールを正当な利用者に提供するために写真シール印刷装置により行われる要求に応じて、要求された利用者の認証が行われる。
【００１６】
従って、撮像編集装置は、作成された印刷データを、写真シール印刷装置に送信し、そこで印刷させることにより、筐体を小型化することができる。さらに、撮像編集装置は、写真シール印刷装置からの要求に応じて、利用者の認証処理を行うことにより、より確実に正当な利用者に写真シールを提供させることができる。
【００１７】
前記利用者識別情報の入力を受け付ける利用者識別情報入力受付手段と、前記利用者識別情報入力受付手段により受け付けられた前記利用者識別情報を記憶する記憶手段とをさらに備え、前記認証手段は、前記記憶手段により記憶された前記利用者識別情報を用いて、前記写真シール印刷装置により要求された利用者の認証を行うようにすることができる。
【００１８】
この利用者識別情報入力受付手段は、例えば、アドレス入力受付処理部により構成され、記憶手段は、例えば、記憶部により構成される。これにより、認証手段は、写真シール印刷装置からの要求に応じて利用者の認証を、例えば認証サーバ等を用いて行う場合よりも、容易に行うことができる。
【００１９】
前記認証手段による認証結果を前記写真シール印刷装置に送信する認証結果送信手段をさらに備えるようにすることができる。
【００２０】
この認証結果送信手段は、例えば、認証結果送信部により構成される。これにより、写真シール印刷装置に、利用者の認証結果を容易に伝達することができる。
【００２１】
前記認証結果送信手段は、前記認証手段により前記利用者識別情報が認証された場合、前記認証結果として、前記写真シールを排出するためのパスワードを前記写真シール印刷装置に送信することができる。
【００２２】
写真シールを排出する写真シール印刷装置は、このパスワードを用いて、写真シールを受け取る利用者の意思を確認することができる。
【００２３】
前記記憶手段は、前記利用者識別情報と、前記利用者に対応する画像データを関連付けて記憶し、前記認証結果送信手段は、前記認証手段により前記利用者識別情報が認証された場合、前記認証結果として、さらに、前記記憶手段により記憶されている、認証された利用者に対応する画像データを送信することができる。
【００２４】
写真シールを排出する写真シール印刷装置は、この画像データを利用者に参照させて、排出する写真シールが正しいものであるかどうかを利用者に確認させることができる。
【００２５】
前記利用者識別情報は、前記利用者の携帯電話機に付与された電子メールアドレスであることができる。
【００２６】
このように電子メールアドレスを用いて利用者を識別することにより、利用者は、容易に利用者識別情報を設定することができる。
【００２７】
本発明の他の側面は、写真シール作成ゲームとして、利用者に、前記利用者を被写体とする撮影作業、および、前記撮影作業により得られた前記利用者の画像に対して編集情報を入力する編集入力作業を行わせる撮像編集装置の撮像編集方法であって、被写体を撮像し、前記利用者からの入力に基づいて、前記撮像により得られた前記被写体の画像データを編集し、編集された前記画像データを、前記利用者を識別する利用者識別情報とともに、前記撮像編集装置自身も含めた複数の撮像編集装置から供給される画像データを所定のシールシートに印刷し、写真シールとして前記利用者に提供する写真シール印刷装置に送信し、前記利用者に、前記写真シール作成ゲームを終了するか否かを確認し、前記写真シール作成ゲームを終了することが確認された場合、前記利用者に対して前記写真シール印刷装置への移動案内を行い、前記写真シール作成ゲームを終了しないことが確認された場合、前記利用者に対して他の撮像編集装置への移動案内を行い、送信された前記画像データに基づいて作成された写真シールを正当な利用者に提供するために前記写真シール印刷装置により行われる要求に応じて、要求された利用者の認証を行うステップを含む撮像編集方法である。
【００２８】
本発明の撮像編集方法においては、被写体が撮像され、利用者からの入力に基づいて、撮像により得られた被写体の画像データが編集され、編集された画像データが、利用者を識別する利用者識別情報とともに、撮像編集装置自身も含めた複数の撮像編集装置から供給される画像データを所定のシールシートに印刷し、写真シールとして利用者に提供する写真シール印刷装置に送信され、利用者に対して写真シール作成ゲームを終了するか否かが確認され、写真シール作成ゲームを終了することが確認された場合、利用者に対して写真シール印刷装置への移動案内が行われ、写真シール作成ゲームを終了しないことが確認された場合、利用者に対して他の撮像編集装置への移動案内が行われ、送信された画像データに基づいて作成された写真シールを正当な利用者に提供するために写真シール印刷装置により行われる要求に応じて、要求された利用者の認証が行われる。
【００２９】
本発明のさらに他の側面は、撮像編集装置において、写真シール作成ゲームとして、利用者に、前記利用者を被写体とする撮影作業、および、前記撮影作業により得られた前記利用者の画像に対して編集情報を入力する編集入力作業を行わせて得られた画像である、編集済みの前記利用者の画像を所定のシールシートに印刷し、印刷された前記シールシートを排出し、写真シールとして前記利用者に提供する写真シール印刷装置であって、複数の前記撮像編集装置のそれぞれから送信される前記画像データを受信する画像データ受信手段と、前記画像データ受信手段により受信された前記画像データ、および、前記画像データを作成する前記写真シール作成ゲームを行う利用者を識別する利用者識別情報を前記シールシートに印刷し、前記写真シールを作成する印刷手段と、前記写真シールを収納する収納庫を複数有し、前記画像データ受信手段により前記画像データとともに受信された前記利用者識別情報に基づいて、前記印刷手段により印刷されて作成された前記写真シールを前記利用者毎に異なる収納庫に保管する保管手段と、前記利用者識別情報を受け付ける利用者識別情報受付手段と、前記利用者識別情報受付手段により受け付けられた前記利用者識別の認証の要求を、前記撮像編集装置に送信する送信手段と、前記送信手段により送信された前記要求に基づいて行われた認証の結果を受信する認証結果受信手段と、前記撮像編集装置により認証された前記利用者識別情報に対応する収納庫を選択し、前記保管手段により前記収納庫に保管された前記写真シールを排出口より排出させる排出制御手段とを備える写真シール印刷装置。
【００３０】
この画像データ受信手段は、例えば、画像データ受信処理部により構成され、印刷手段は、例えば、印刷処理部により構成され、保管手段は、例えば、写真シール保管トレイにより構成され、利用者識別情報受付手段は、例えば、電子メールアドレス受付処理部により構成され、送信手段は、例えば、認証要求処理部により構成され、認証結果受信手段は、例えば、認証要求処理部により構成され、排出制御手段は、例えば、排出処理部により構成される。
【００３１】
本発明の写真シール印刷装置においては、複数の撮像編集装置のそれぞれから送信される画像データ、および、その画像データを作成する写真シール作成ゲームを行う利用者を識別する利用者識別情報が受信され、その受信された画像データがシールシートに印刷され、写真シールが作成され、写真シールを収納する収納庫が複数設けられ、画像データとともに受信された利用者識別情報に基づいて、印刷されて作成された写真シールがその利用者毎に異なる収納庫に保管され、利用者識別情報が受け付けられ、受け付けられた利用者識別情報の認証の要求が、撮像編集装置に送信され、送信された要求に基づいて行われた認証の結果が受信され、撮像編集装置により認証された利用者識別情報に対応する収納庫が選択され、その収納庫に保管された写真シールが排出口より排出される。
【００３２】
従って、写真シール印刷装置は、複数の撮像編集装置より送信された印刷データを、受信して印刷することにより、設置スペースを縮小することができる。さらに、写真シール印刷装置は、作成した写真シールを利用者毎に排出するので、利用者は、複数の写真シール作成ゲームを連続して行っても、作成した全ての写真シールを容易に取得することができる。
【００３９】
前記排出制御手段は、前記写真シールを排出させる際に前記収納庫の鍵を開錠する開錠手段と、前記写真シールの排出が完了した後、前記鍵を施錠する施錠手段とを備えることができる。
【００４０】
このようにすることにより、写真シール印刷装置は、収納庫の鍵を開錠または施錠するだけで、より容易に写真シールを利用者毎に管理し、排出させることができる。
【００４１】
前記利用者識別情報は、前記利用者の携帯電話機に付与された電子メールアドレスであり、前記利用者識別情報受付手段は、前記携帯電話機より送信される電子メールを受信し、送信元の電子メールアドレスを前記利用者識別情報として受け付けることができる。
【００４２】
このように電子メールアドレスを用いて利用者を識別することにより、利用者は、容易に利用者識別情報を入力することができる。
【００４５】
前記写真シールを排出するためのパスワードを表示する表示手段と、前記表示手段により表示された前記パスワードの入力を受け付けるパスワード入力受付手段とをさらに備え、前記認証結果受信手段は、前記認証結果として、前記利用者識別情報に対応する前記画像データ、および前記画像データに対応する前記パスワードを受信し、前記表示手段は、前記認証結果受信手段により受信された前記パスワードを表示し、前記排出制御手段は、前記パスワード入力受付手段により、前記表示手段に表示された前記パスワードが受け付けられた場合、前記写真シールを排出させることができる。
【００４６】
この表示手段は、例えば、印刷表示部により構成され、パスワード入力受付手段は、例えば、パスワード処理部により構成される。これにより、写真シール印刷装置は、排出する写真シールが正しいものであると利用者が確認したことを、容易に把握することができる。
【００４７】
前記保管手段により保管されている前記写真シールを回収口に送出し、管理者に回収させる回収手段をさらに備えることができる。
【００４８】
この回収手段は、例えば、回収処理部により構成される。これにより、写真シールを保管するトレイを有効に利用することができる。
【００４９】
前記印刷手段は、前記画像データおよび前記利用者識別情報を前記シールシートに印刷することができる。
【００５０】
このようにすることにより、利用者は、写真シールを見ることによっても、その写真シールが正しいものであるかどうかを確認することができる。
【００５１】
本発明のさらに他の側面は、撮像編集装置において、写真シール作成ゲームとして、利用者に、前記利用者を被写体とする撮影作業、および、前記撮影作業により得られた前記利用者の画像に対して編集情報を入力する編集入力作業を行わせて得られた画像である、編集済みの前記利用者の画像を所定のシールシートに印刷し、印刷された前記シールシートを排出し、写真シールとして前記利用者に提供する写真シール印刷装置の写真シール印刷方法であって、複数の前記撮像編集装置のそれぞれから送信される前記画像データ、および、前記画像データを作成する前記写真シール作成ゲームを行う利用者を識別する利用者識別情報を受信し、受信された前記画像データを前記シールシートに印刷し、前記写真シールを作成し、前記写真シールを収納する収納庫を複数有し、前記画像データとともに受信された前記利用者識別情報に基づいて、印刷されて作成された前記写真シールを前記利用者毎に異なる収納庫に保管し、前記利用者識別情報を受け付け、受け付けられた前記利用者識別情報の認証の要求を、前記撮像編集装置に送信し、送信された前記要求に基づいて行われた認証の結果を受信し、前記撮像編集装置により認証された前記利用者識別情報に対応する収納庫を選択し、前記収納庫に保管された前記写真シールを排出口より排出させるステップを含む写真シール印刷方法である。
【００５２】
本発明の写真シール印刷方法においては、複数の前記撮像編集装置のそれぞれから送信される前記画像データ、および、前記画像データを作成する前記写真シール作成ゲームを行う利用者を識別する利用者識別情報が受信され、受信された前記画像データが前記シールシートに印刷され、前記写真シールが作成され、前記写真シールを収納する収納庫が複数設けられ、前記画像データとともに受信された前記利用者識別情報に基づいて、印刷されて作成された前記写真シールが前記利用者毎に異なる収納庫に保管され、前記利用者識別情報が受け付けられ、受け付けられた前記利用者識別情報の認証の要求が、前記撮像編集装置に送信され、送信された前記要求に基づいて行われた認証の結果が受信され、前記撮像編集装置により認証された前記利用者識別情報に対応する収納庫が選択され、前記収納庫に保管された前記写真シールが排出口より排出される。
【００５３】
本発明のプログラムは、所定の記録媒体に記録されて、例えば、ドライブにより読み出され、画像印刷装置にインストールされる。記録媒体は、フロッピ（登録商標）ディスクなどよりなる磁気ディスク、CD-ROM(Compact Disk Read Only Memory)、DVD-ROM(Digital Versatile Disk)などよりなる光ディスク、MD(Mini Disk)（登録商標）などよりなる光磁気ディスク、または半導体メモリなどのリムーバブルメディアにより構成される。
【発明の効果】
【００５４】
本発明によれば、収益性を向上させることができる。特に、筐体の設置の自由度を向上させ、さらに、写真シール作成ゲームの回転率を向上させることができる。
【発明を実施するための最良の形態】
【００５５】
以下、本発明を適用した具体的な実施の形態について、図面を参照しながら詳細に説明する。
【００５６】
図１は、本発明を適用した写真シール作成システムの一実施の形態の外観構成例を示す斜視図を示している。
【００５７】
図１に示される写真シール作成システム１は、撮影や編集等の作業の娯楽性を高め、それらの作業を利用者にゲーム（遊戯サービス）として行わせる代わりに、利用者より代金を受け取るゲーム装置（遊戯サービス提供装置）であり、通常、ゲームセンターや観光地等の店舗（遊戯施設場）等に設置される。つまり、写真シール作成システム１は、後述するように、写真シール作成ゲームを利用者に提供する。利用者（主に複数人のグループである場合が多い）は、その写真シール作成ゲームにおいて、硬貨投入後に筐体内に設置されたCCD（Charge Coupled Device）カメラで利用者自身を撮影し、記録された利用者の画像を液晶パネル上で付属のペン等を用いて所定または任意の文字や図形等を書き込んで編集を行い、個性的な画像を作成してシール紙（シールシート）に分割印刷させる。このように作成され利用者に提供されたシール紙は、例えば、利用者によって、利用者の友人や知人と交換されたり、手帳に貼り付けてアルバムのようにしたり、ポストカードに貼り付けたりされる。
【００５８】
図１において、写真シール作成システム１は、イントラネット１０を介して互いに接続される、写真シール機１１乃至写真シール機１３、並びに、印刷機２１により構成される。
【００５９】
詳細については後述するが、上述した写真シール作成ゲームは、大きく分けて、利用者を撮像する撮像作業、撮像作業により得られた利用者の画像を編集する編集作業、および編集作業により編集した利用者の画像をシール紙に印刷する印刷作業（その待機中に行う事後接客も含む）の３つの行程により構成される。写真シール機１１乃至写真シール機１３においては、それらのうち、撮像および編集が行われ、印刷機２１においては印刷が行われる。つまり、利用者は、例えば、写真シール機１１乃至写真シール機１３のいずれかにおいて、撮像作業と編集作業を行う。その作業により得られた画像データは、イントラネット１０を介して印刷機２１に供給され、印刷されるので、利用者は、撮像作業および編集作業を行った写真シール機から印刷機２１に移動し、印刷された写真シールを取得し、写真シール作成ゲームを終了する。
【００６０】
連続して写真シール作成ゲームを行う場合、利用者は、撮影作業および編集作業終了後、印刷機２１に移動して写真シールを取得する前に、他の写真シール機に移動し、新たな写真シール作成ゲームを開始する（撮像作業や編集作業を行う）。その際得られる画像データも、印刷機２１に転送され写真シールに印刷されるので、利用者は、上述したように撮像処理や編集処理を満足するまで繰り返した後、印刷機２１に移動し、これまでに作成した写真シールをまとめて取得する。
【００６１】
また、写真シールの受け取りの際に、利用者が正しい（自分の）写真シールを、より容易かつ確実に受け取ることができるように（取り間違いの無い様に）、図１に示されるように、利用者（複数の場合は代表者）が有する携帯電話機３１の電子メールアドレスを用いて確認作業を行う。その場合、携帯電話機３１は、インターネット３０を介して、電子メールを写真シール作成システム１に送信する（アドレス送信信号）。写真シール作成システム１の印刷機２１は、そのアドレス信号（電子メール）を受信すると（アドレス入力信号）、その（電子メールの送信元の）アドレス信号を、通信部を介して各写真シール機に送信する（通信部を介してアドレス送信信号）。
【００６２】
アドレス信号を受信すると（印刷機通信部からのアドレス入力信号）、写真シール機１１乃至写真シール機１３は、それぞれ、画像データおよびその画像データに関する情報（例えば画像データを識別する識別情報や画像データの取得に必要な暗証番号等）を印刷機２１に送信する（記憶部・識別装置を介して画像ＩＤ・画像・暗証番号送信信号）。印刷機２１は、これらの情報を取得すると、それを利用者に提示する。利用者は、その提示された情報を確認し、写真シールを受け取るか否かを印刷機２１に指示する。
【００６３】
このような写真シール作成システム１は、上述したように、遊戯施設場等の店舗に設置されることが多く、その設置場所が限定されている場合が多い。各店舗の形状や大きさも異なり、近隣に設置されるゲーム機等の遊戯施設の筐体の形状や大きさも多様である。
【００６４】
このような店舗においては、営業上、単位面積あたりの収益率を向上させることが望ましく、筐体の小型化も重要な要素となりうるが、収益率の向上のためには、各装置の設置面積だけでなく、客の店舗内の流れも考慮する必要がある。つまり、店舗内にできるだけ多くのゲーム機を設置しても収益率が向上するとは限らず、各ゲーム機を店舗内にどのように配置するかというレイアウトも重要になる。従って、このような店舗にとって、各ゲーム機は、筐体が小さいだけでなく、設置の自由度が高い方が望ましい。
【００６５】
図１の写真シール作成システム１は、撮像作業および編集作業を行う写真シール機と、印刷を行う印刷機が別筐体なので、利用者は、複数の写真シール作成ゲームを効率よく連続して行うことができるだけでなく、各装置の筐体を小型化することができ、さらに、設置の自由度を向上させ、より任意の場所に設置することができる。
【００６６】
さらに、印刷機２１は、写真シール機１１乃至写真シール機１３により共有されているので、その分設置に必要なスペースも削減される。
【００６７】
以上のように、写真シール作成システム１は、設置スペースの削減や、設置自由度の向上により、店舗の収益率を向上させることができる。
【００６８】
また、写真シール作成システム１においては、複数回連続して写真シール作成ゲームを実行する利用者は、印刷を待たずに次のゲームを開始することができるので、写真シール作成ゲームの回転率が向上する。従って、写真シール作成システム１は、店舗の収益率を向上させることができる。また、写真シール作成ゲームの回転率の向上により、待機時間等が削減されるため、利用者の満足度も向上し、写真シール作成ゲームをプレイした利用者が再度来店し、写真シール作成ゲームを行う、所謂、リピータが増加し、結果として店舗の収益率が向上することが見込まれる。
【００６９】
また、写真シール作成システム１として、写真シール機１１乃至写真シール機１３、並びに印刷機２１が互いに別筐体として構成されているので、修理、機能強化（高機能化、多機能化等）、または消耗品の補充等、各装置のメンテナンスや、各装置の増設や撤去等、システム構成変更作業が容易になる。例えば、写真シール機１１乃至写真シール機１３は、そのままに、印刷機２１のみを高性能、高機能、高速の機種に変更可能である。例えば、通常の普通色印刷を行う印刷機に代えて、ラメ印刷、ホログラフ印刷、高解像度印刷、大型印刷、または透明印刷などを行う印刷機を設置することも、印刷機２１を交換するのみでよく、容易に可能である。
【００７０】
写真シール作成ゲームの回転率の向上について、具体的に説明する。例えば、１つの筐体において、撮像から印刷まで、写真シール作成ゲームの全ての行程を行う写真シール機を利用者が連続して利用する場合、タイムチャートは、図２のパターンＡに示されるようになる。この場合、利用者は、各写真シール機において、撮像、編集、印刷を行い、写真シールを受け取った後、次の写真シール機に移動し、新たな写真シール作成ゲームの全行程を行うので、各ゲームの行程に、編集後に印刷が完成するまでの待機時間が含まれることになる。
【００７１】
これに対して、図１の写真シール作成システム１の場合、タイムチャートは、図２のパターンＢに示されるようになる。この場合、利用者は、各写真シール機において、撮像と編集が終了すると、次の写真シール機に移動し、新たなゲームを開始することができる。各写真シール作成ゲームの印刷は、印刷機２１において行われるので、利用者は、印刷中の待機時間を省略することができる。このように、写真シール作成ゲームを３回繰り返した場合、図２に示されるように、パターンＢの方が、両矢印４１に示される時間だけ、パターンＡより短縮することができる。つまり、回転率を向上させることができる。
【００７２】
なお、写真シール作成システム１の構成は、上述した以外の構成であってもよく、写真シール機は何台であってもよく、印刷機も複数であっても良い。また、イントラネット１０も複数のネットワークにより構成されるようにしてもよい。
【００７３】
図３は、図１の写真シール機１１の斜視図である。
【００７４】
写真シール機１１は、写真シール作成ゲームの撮像と編集が行われる撮像編集装置であり、この写真シール機１１において、利用者は、撮像作業と編集作業を行う。
【００７５】
図３に示されるように、写真シール機１１は、第１筐体５１と第２筐体５２を有し、利用者は、それらの筐体に挟まれる撮像空間５３において撮像作業を行う。
【００７６】
第１筐体５１は、図３に示されるように略直方体の形状をしており、地上面に対して垂直な４側面の内、撮像空間５３側の側面である正面５１Ａには、利用者を撮像するカメラ６１、カメラ６１による撮像の際に得られる、カメラ６１の取り込み画像を表示する撮像取り込み画像表示部６２、カメラ６１が撮像して得られた撮像画像、案内画像、入力可能なGUI（Graphical User Interface）画像等を表示する撮像表示部６３、および写真シール作成ゲームを開始する際に利用者が所定の金額分の硬貨を投入して利用料金を支払う硬貨投入口６４等、撮影作業において利用される構成が設けられている。
【００７７】
第２筐体５２は、撮像の際に、利用者の背景となる背景カーテン等が収納されるカーテンユニットや照明装置等が設けられる。
【００７８】
なお、第１筐体５１の正面５１Ａには、上述した以外の構成、例えば、照明装置等が設けられるようにしてももちろんよい。第２筐体５２も同様に、上述した以外の構成を有するようにしてもよい。
【００７９】
図４は、図１の写真シール機１１を、図３と異なる角度より見た場合の斜視図である。
【００８０】
図４に示されるように、第１筐体５１の、図３に示される正面５１Ａと対向する側面である背面５１Ｂには、編集作業において利用される構成が設けられており、背面５１Ｂ前方の所定の範囲の空間が、例えばカーテン等により周囲を囲われるなどして、編集空間５４が形成される。利用者は、撮影作業終了後、この編集空間５４に移動し、撮像画像に対する編集作業を行う。
【００８１】
背面５１Ｂには、編集作業用のGUIや撮像画像等が表示される編集表示部８１Ａ、編集情報を入力する編集用タッチペン８２Ａ−１および編集用タッチペン８２Ａ−２、編集入力案内等の音声が出力される編集入力用スピーカ８３Ａ、編集表示部８１Ａと同様の編集表示部８１Ｂ、編集用タッチペン８２Ａ−１および編集用タッチペン８２Ａ−２と同様の編集用タッチペン８２Ｂ−１および編集用タッチペン８２Ｂ−２、並びに、編集入力用スピーカ８３Ａと同様の編集入力用スピーカ８３Ｂが設けられている。つまり、背面５１Ｂには、複数の利用者が同時に編集を行うことができるようになされている。
【００８２】
背面５１Ｂには、さらに、上述した以外の構成を設けるようにしてもよい。また、以上においては、背面５１Ｂには、１つの編集表示部、２本の編集用タッチペン、および１つの編集入力用スピーカを１組とする同一の構成が２組設けられているように説明したが、これらの構成の一部または全部が１組のみ設けられるようにしてもよいし、３組以上設けられるようにしてもよい。また、各組の構成が互いに異なるようにしてもよい。
【００８３】
図５は、写真シール機１１の内部の構成例を示すブロック図である。
【００８４】
図５において、写真シール機１１は、撮像編集制御装置１０１、ROM（Read Only Memory）１０２、RAM（Random Access Memory）１０３、記憶部１０４、識別装置１０５、通信部１０６、ドライブ１０７、撮像部１１１、編集部１１２Ａ、および編集部１１２Ｂを有している。
【００８５】
撮像編集制御装置１０１は、写真シール機１１の各部を制御し、撮像および編集に関する処理を実行させる。撮像編集制御装置１０１は、ROM１０２に記憶されているプログラム、または記憶部１０４からRAM１０３にロードされたプログラムに従って各種の処理を実行する。RAM１０３にはまた、撮像編集制御装置１０１が各種の処理を実行する上において必要なデータなども適宜記憶される。
【００８６】
記憶部１０４は、例えば半導体メモリやハードディスク等により構成される記憶媒体であり、画像データや設定情報など、各種のプログラムやデータが記憶される。識別装置１０５は、記憶部１０４に対するアクセスのアクセス元を識別し、正当なアクセス元に対してのみ、記憶部１０４の情報を提供させるように、記憶部１０４の入出力を制御する。
【００８７】
ドライブ１０７は、必要に応じて接続され、磁気ディスク、光ディスク、光磁気ディスク、或いは半導体メモリなどのリムーバブルメディア１０８が適宜装着され、それらから読み出されたコンピュータプログラムが、必要に応じて記憶部１０４にインストールされる。
【００８８】
撮像部１１１は、撮像空間５３における撮像作業に用いられる処理部により構成され、各構成は主に第１筐体５１の正面５１Ａに設けられる。撮像部１１１は、図５に示されるように、硬貨処理部１２１、照明装置１２２、カメラ６１、撮像表示部６３、スピーカ１２３、撮像取り込み画像表示部６２を有している。
【００８９】
硬貨処理部１２１は、投入される硬貨を受け付けるユニットであり、図３の硬貨投入口６４を含む。照明装置１２２は、撮像空間５３を明るくするためのものであり、操作性や安全性の向上に寄与するものである。また、照明装置１２２は、撮像時に、ストロボ光を発光し、撮像画像の画質向上にも寄与する。
【００９０】
スピーカ１２３は、撮像空間５３において、操作案内や効果音等の音声を出力するものであり、例えば、正面５１Ａに設けられる。
【００９１】
編集部１１２Ａは、編集空間５４における編集作業において利用者に用いられる処理部により構成され、各構成は、主に、第１筐体５１の背面５１Ｂに設けられる。編集部１１２Ａは、例えば、編集表示部８１Ａ，タッチパネル１３１Ａ、タッチペン８２Ａ−１、タッチペン８２Ａ−２、およびスピーカ８３Ａにより構成される。
【００９２】
タッチパネル１３１Ａは、編集表示部８１Ａの表示面に重畳される無色透明の感圧式のタッチパネルであり、利用者は、画面上を指等によりタップ（接触）することにより、編集表示部８１Ａに表示されているGUI画面を操作することができる。
【００９３】
編集部１１２Ｂは、編集部１１２Ａと同様の構成を有しているのでその説明を省略する。つまり、編集部１１２Ｂは、編集表示部８１Ａと同様の編集表示部８１Ｂ、タッチパネル１３１Ａに対応するタッチパネル１３１Ｂ、タッチペン８２Ａ−１およびタッチペン８２Ａ−２に対応するタッチペン８２Ｂ−１およびタッチペン８２Ｂ−２、並びに、スピーカ８３Ａに対応するスピーカ８３Ｂを有している。
【００９４】
なお、以下において、編集部１１２Ａと編集部１１２Ｂを互いに区別して説明する必要の無い場合、単に編集部１１２と称する場合もある。同様に、編集表示部８１Ａと編集表示部８１Ｂ、タッチパネル１３１Ａとタッチパネル１３１Ｂ、スピーカ８３Ａとスピーカ８３Ｂも互いに区別して説明する必要の無い場合、それぞれ、単に、編集表示部８１、タッチパネル１３１、スピーカ８３と称する場合もある。さらに、タッチペン８２Ａ−１およびタッチペン８２Ａ−２と、タッチペン８２Ｂ−１およびタッチペン８２Ｂ−２とを互いに区別して説明する必要の無い場合、タッチペン８２−１およびタッチペン８２−２と称する場合もある。さらに、各タッチペンを互いに区別する必要の無い場合、単に、タッチペン８２と称する場合もある。
【００９５】
図６は、図５の撮像編集制御装置１０１の詳細な構成例を示すブロック図である。
【００９６】
図６において、撮像編集制御装置１０１は、撮像処理部１５１、編集処理部１５２、アドレス入力受付処理部１５３、データ送信処理部１５４、移動案内処理部１５５、認証要求受付部１５６、認証処理部１５７、暗証番号作成部１５８、および認証結果送信部１５９を有している。
【００９７】
撮像処理部１５１は、被写体の撮像に関する処理（撮像空間５３における撮像作業に関する処理）を実行する。編集処理部１５２は、撮像画像に対する落書き編集に関する処理（編集空間５４における編集作業に関する処理）を実行する。アドレス入力受付処理部１５３は、利用者（複数の場合は代表者）に、利用者識別情報として、自分自身の携帯電話機３１に付与される電子メールアドレスを入力させる処理を実行する。データ送信処理部１５４は、撮像作業および編集作業により作成された印刷用の画像データである印刷データを印刷機２１に送信する処理を行う。移動案内処理部１５５は、利用者に対して、他の写真シール機または印刷機２１に移動させるように案内する処理を行う。
【００９８】
認証要求受付部１５６は、通信部１０６を制御し、印刷機２１より供給される利用者に関する情報についての認証の要求を受け付ける。詳細については後述するが、印刷機２１は、印刷データの画像が印刷されて生成された写真シールを、その画像の正当な利用者に対して排出するために、写真シールを受け取る利用者の情報（例えば、利用者（複数の場合代表者）の携帯電話機の電子メールアドレス）を、利用者識別情報として、写真シール機に供給することにより、その利用者の認証を要求する。
【００９９】
認証処理部１５７は、識別装置１０５を制御し、その要求に応じて利用者に関する情報（例えば電子メールアドレス）に対して認証処理を行う。暗証番号作成部１５８は、認証処理部１５７において認証に成功した場合、その認証された利用者に対する暗証番号を作成する。認証結果送信部１５９は、認証結果として、認証処理部１５７の処理結果と、暗証番号作成部１５８において作成された暗証番号を要求元に送信する。もちろん、認証結果送信部１５９が、それ以外の情報を認証結果として要求元に送信するようにしてもよい。
【０１００】
なお、暗証番号は、所定の桁数の０乃至９の数字であってもよいし、アルファベット、ひらがな、カタカナ、漢字、または記号等も含む文字列（パスワード）であってもよいし、図形や色等の画像情報であってもよい。
【０１０１】
写真シール機１２および写真シール機１３も、写真シール機１１と同様の構成を有しており、図３乃至図６を参照して説明した写真シール機１１の説明を適用することができるので、それらについての説明は省略する。なお、写真シール機１１乃至写真シール機１３の一部または全部が互いに異なる機能や構成を有するようにしてもよい。例えば、各写真シール機において、用意されている背景カーテンの柄や、編集ツール（落書きペンツールにより描かれる線の色や模様、またはスタンプの図柄等）等が互いに異なるようにしてもよいし、撮影空間や編集空間の数が異なる（すなわち、最大同時接客数が異なる）ようにしてもよいし、写真シール作成ゲームのプレイ制限時間が異なるようにしてもよい。もちろん、それ以外の機能や構成が異なるようにしてもよい。
【０１０２】
次に、印刷機２１の構成について説明する。図７は、図１の印刷機２１の斜視図である。
【０１０３】
印刷機２１は、写真シール機より供給される印刷画像をシール紙に印刷し、写真シールを作成すると、複数のトレイを用いてその写真シールを管理し、さらにその写真シールの排出を制御する装置である。図７において、印刷機２１の上面２１Ａには、CRT（Cathode Ray Tube）やLCD（Liquid Crystal Display）等のモニタ等により構成され、印刷に関する表示を行う印刷表示部１７１と、情報入力時に利用者に使用される印刷入力用タッチペン１７２が設けられている。印刷表示部１７１には、無色透明の感圧式のタッチパネルが重畳されており、利用者は、印刷表示部１７１上で、印刷表示部１７１に表示されたGUIに対して、印刷入力用タッチペン１７２を操作することにより、GUIに応じた情報を印刷機２１に入力する。
【０１０４】
印刷機２１の前面２１Ｂには、印刷入力用スピーカ１７３−１、印刷入力用スピーカ１７３−２、および写真シール排出口１７６が設けられている。印刷入力用スピーカ１７３−１および印刷入力用スピーカ１７３−２は、印刷時の入力に関する案内やBGM（Back Ground Music）や効果音等の音声を出力するスピーカであり、互いに異なるチャンネルの音声を出力する。写真シール排出口１７６は、印刷された写真シールが排出される排出口である。
【０１０５】
印刷機２１の側面２１Ｃには、印刷後、例えば所定の期間、利用者が受け取らなかった写真シールを管理者が回収するための回収口である写真シール回収口１７７が設けられている。
【０１０６】
また、印刷機２１の筐体内部には、プリンタ１７４および写真シール保管トレイ１７５が設けられている。プリンタ１７４は、写真シール機１１乃至写真シール機１３より供給される印刷データ（編集済みの画像データ）をシール紙に印刷する。プリンタ１７４において印刷された写真シールは、写真シール保管トレイ１７５に供給され、保管される。
【０１０７】
写真シール保管トレイ１７５は、後述するように、複数のトレイを有しており、写真シールを例えば利用者（代表者）毎に各トレイに分けて保管し、利用者の要求に応じて、利用者に対応するトレイから写真シールを全てまとめて排出する。なお、この複数のトレイのうち、一部または全部のトレイの大きさや形状が、互いに異なるようにしてもよい。
【０１０８】
図８は、印刷機２１の内部の構成例を示すブロック図である。
【０１０９】
図８において、印刷機２１は、写真シール保管トレイ１７５の他に、印刷制御装置１９１、印刷部１９２、およびドライブ１９３を有する。
【０１１０】
写真シール保管トレイ１７５は、トレイ２２１−１、トレイ２２１−２、トレイ２２１−３・・・など、写真シールを保管する複数のトレイ２２１と、鍵部２２２−１、鍵部２２２−２、鍵部２２２−３、・・・など、各トレイ２２１に設けられた鍵部２２２を有している。さらに、写真シール保管トレイ１７５は、プリンタ１７４より出力された写真シールをトレイ２２１に転送したり、トレイ２２１より送出された写真シールを写真シール排出口１７６に転送したりする写真シール紙転送部２２３を有している。
【０１１１】
印刷制御装置１９１は、印刷機２１の各部を制御し、印刷に関する処理を実行させる。印刷部１９２は、写真シール機１１乃至写真シール機１３より供給される印刷データ（画像データ）を所定のシール紙に印刷する。
【０１１２】
印刷部１９２は、例えば、通信部２０１、画像記憶部２０２、印刷表示部１７１、タッチパネル２０３、タッチペン１７２、スピーカ１７３、IDタグリーダ／ライタ２０４、プリンタ１７４、シール紙ユニット２０５、および印刷機用認証装置２０６を有している。
【０１１３】
通信部２０１は、イントラネット１０を介して、写真シール機１１乃至写真シール機１３や携帯電話機３１と接続され、それらと通信を行う。画像記憶部２０２は、半導体メモリやハードディスク等の記憶媒体により構成され、通信部２０１を介して写真シール機１１乃至写真シール機１３より取得した画像（印刷データ）を一時的に保持する。タッチパネル２０３は、無色透明の感圧式のタッチパネルであり、印刷表示部１７１の表示部分に重畳される。IDタグリーダ／ライタ２０４は、シール紙（シールシート）を供給するシール紙ユニット２０５が正当なものであるか否かを確認するために、シール紙ユニット２０５に割り当てられたシール紙用のIDタグ２１１を読み込み、それを印刷制御装置１９１に供給する。
【０１１４】
シール紙ユニット２０５は、プリンタ１７４にシール紙を提供するためのユニットであり、IDタグ２１１およびシール紙２１２（シールシート）が設けられている。IDタグ２１１は、シール紙ユニット２０５を識別するための識別情報であり、シール紙２１２が正当なものであるか否かを判別するのに用いられる。シール紙２１２は、プリンタ１７４に供給され、写真シール機より供給される印刷データが印刷される。印刷機用認証装置２０６は、暗証番号の認証等の処理を行う。
【０１１５】
ドライブ１９３は、必要に応じて接続され、磁気ディスク、光ディスク、光磁気ディスク、或いは半導体メモリなどのリムーバブルメディア１９４が適宜装着され、それらから読み出されたコンピュータプログラムが、必要に応じて印刷制御装置１９１や画像記憶部２０２等にインストールされる。
【０１１６】
図９は、図８の印刷制御装置１９１の詳細な構成例を示すブロック図である。
【０１１７】
図９において、印刷制御装置１９１は、画像データ受信処理部２５１、印刷処理部２５２、排出処理部２５３、電子メールアドレス受付処理部２５４、認証要求処理部２５５、パスワード処理部２５６、および回収処理部２５７を有している。
【０１１８】
画像データ受信処理部２５１は、写真シール機１１乃至写真シール機１３のそれぞれより送信される画像データ（印刷データ）の受信に関する処理を行う。印刷処理部２５２は、印刷データの印刷に関する処理を行う。排出処理部２５３は、印刷データが印刷された写真シールの排出に関する処理を行う。電子メールアドレス受付処理部２５４は、携帯電話機３１の電子メールアドレスの受け付けに関する処理を行う。認証要求処理部２５５は、写真シール機１１乃至写真シール機１３に対して認証を要求する。パスワード処理部２５６は、暗証番号の表示、暗証番号の入力受付、および暗証番号の認証等、暗証番号に関する所定の処理を行う。回収処理部２５７は、写真シール回収に関する処理を実行する。
【０１１９】
次に、写真シール作成ゲームの全体的な処理の流れについて説明する。図１０は、写真シール作成ゲームにおける各装置の処理の流れの例を説明する図である。
【０１２０】
図６の撮像処理部１５１は、図５の撮像部１１１を制御し、撮像処理を行う。利用者は撮像空間５３において、その撮像処理に従って撮像作業を行い、利用者自身を撮像させ、撮像画像を生成させる。撮像処理が終了すると、処理は、編集処理部１５２に移行する。
【０１２１】
編集処理部１５２は、編集部１１２Ａや編集部１１２Ｂを制御し、編集・印刷準備処理を行う。利用者は、編集空間５４において、その編集・印刷準備処理に従って編集作業および印刷準備作業を行い、スタンプツールやペンツール等を用いて撮像画像に対する落書き編集を行ったり、シール紙に印刷する枚数やレイアウトの決定を行ったり、写真シールと利用者を関連付けるための情報として、利用者の携帯電話機３１の電子メールアドレスを登録したりする。
【０１２２】
撮像および編集・印刷準備処理が終了すると、得られた画像データ（編集済みの画像データ）は、印刷データとして、記憶部１０４に構築されるデータベース２７１に送信され、利用者（代表者）の携帯電話機３１の電子メールアドレス（ユーザアドレス）と関連付けて保存される（１：送信・保存）。さらに、その印刷データは、印刷機２１に送信される（２：送信）。印刷機２１の画像データ受信処理部２５１は、その印刷データを受信すると、それを画像記憶部２０２に記憶させる。印刷処理部２５２は、印刷部１９２を制御し、画像記憶部２０２の印刷データをシール紙に印刷させ、写真シールを作成する。作成された写真シールは、写真シール保管トレイ１７５において、印刷データとともに受信したアドレス毎に異なるトレイに分別して保管される。
【０１２３】
印刷機２１の電子メールアドレス受付処理部２５４は、印刷部１９２を制御し、印刷表示部１７２にアクセス先を提示する。利用者（代表者）は、そのアクセス先を参照し、電子メールアドレスを登録した携帯電話機３１からそのアクセス先に電子メールを送信する。電子メールアドレス受付処理部２５４は、通信部２０１を制御して、その電子メールを受信すると、その電子メールの送信元アドレス（ユーザアドレス）を取得する。認証処理要求部２５５は、通信部２０１を介して、そのユーザアドレスを写真シール機に送信し、認証処理を要求する（３：送信）。
【０１２４】
認証要求受付部１５６は、通信部１０６を介してその要求を受け付ける。認証処理部１５７は、その要求に基づいて、識別装置１０５を制御し、そのユーザアドレスの認証を実行させる（４：認証ＯＫ）。認証が成功すると、認証処理部１５７は、データベース２７１より、そのユーザアドレスに対応する画像データ（または画像データに関する情報）を抽出する。暗証番号作成部１５８は、所定の方式に基づいて暗証番号を生成する。認証結果送信部１５９は、その暗証番号を、抽出された画像データ（または画像データに関する情報）に付与し、それらを認証結果として、通信部１０６を介して印刷機２１に送信する（５：データ抽出／暗証番号付与）。
【０１２５】
このようにすることにより、印刷機２１は、印刷表示部１７１の表示を見て電子メールを送信した利用者に対応する画像データを取得することができる。さらに、印刷機２１は、写真シールを利用者に受け渡すための暗証番号も取得することができる。なお、この暗証番号は、利用者が写真シール機を複数利用した場合、どの写真シール機より取得するようにしてもよいし、複数の写真シール機より取得し、それらを全て利用するようにしてもよい。つまり、後述するように利用される暗証番号は１つであっても複数であっても良い。
【０１２６】
印刷機２１の認証要求処理部２５５は、通信部２０１を制御し、要求の応答としてその認証結果を受信させる。パスワード処理部２５６は、印刷部１９２を制御し、認証結果に含まれる暗証番号を、画像データ（または画像データに関する情報）とともに、印刷表示部１７１に表示させ、さらに利用者からの暗証番号の入力を受け付ける。印刷機２１を操作する利用者は、表示された画像データ（または画像データに関する情報）を参照し、排出される写真シールが自分自身のもの（自分自身を含むグループのもの）であることを確認し、そうであればともに表示される暗証番号を、さらに表示された暗証番号入力欄に入力する。パスワード処理部２５６は、このように入力された暗証番号を、印刷機用認証装置２０６を制御して認証させ、写真シール機より取得した暗証番号と一致するかどうかを確認する（６：入力）。暗証番号が認証されると（７：認証ＯＫ）、排出処理部２５３は、写真シール保管トレイ１７５の、利用者に対応するトレイ２２１の鍵部２２２に開錠させ、写真シールを排出させる。
【０１２７】
このように画像データ（または画像データに関する情報）を表示し、さらに暗証番号を入力させることにより、印刷機２１は、印刷機２１を操作する利用者に、写真シールの画像を確認させてから排出することができ、より確実に、利用者に対して正しい写真シールを提供することができる。なお、暗証番号や画像データ（または画像データに関する情報）を、印刷表示部１７１に表示させる代わりに、利用者の携帯電話機３１に送信して表示させるようにしてもよい。その場合、印刷機２１は、利用者が印刷機２１を操作して暗証番号を入力することにより、印刷機２１を操作する利用者が携帯電話機３１の所有者であることを確認することができるので、より確実に、電子メールを送信した利用者に正しい写真シールを提供することができる。
【０１２８】
なお、各写真シール機において得られた印刷データ（画像データ）には、図１１に示されるように、それぞれ、利用者（複数の場合代表者）の携帯電話機の電子メールアドレスが割り当てられており、写真シール保管トレイ１７５においては、各利用者（代表者）毎に管理される。この利用者（代表者）の携帯電話機の電子メールアドレスの情報は、ＩＤとしてシールシート（シール紙）に印刷データとともに印刷される。このようにすることにより、利用者（複数の場合、代表者）は、写真シールに印刷された電子メールアドレスを参照することで、その写真シールが利用者自身（複数の場合、グループメンバまたは代表者）のものであるか否かをさらに確認することができる。
【０１２９】
次に、各処理の詳細な処理の流れについて説明する。
【０１３０】
図１２は、写真シール作成ゲーム処理の流れの例を説明する図である。
【０１３１】
写真シール作成ゲームが開始されると、撮像編集制御装置１０１の撮像処理部１５１は、ステップＳ１において、硬貨処理部１２１を制御し、利用者の硬貨投入に対する受付処理を行う。硬貨の投入（代金の支払い）が確認されると、撮像処理部１５１は、ステップＳ２において、撮像処理を行う。ステップＳ３において、編集処理部１５２、アドレス入力受付処理部１５３、データ送信処理部１５４、および移動案内処理部１５５は、編集・印刷準備処理を行う。編集・印刷準備処理が終了すると、この写真シール機における写真シール作成ゲーム処理は終了される。
【０１３２】
次に、図１３のフローチャートを参照し、図１２のステップＳ２において実行される撮像処理の詳細な流れの例を説明する。
【０１３３】
撮像処理が開始されると、撮像処理部１５１は、ステップＳ２１において、硬貨処理部１２１からの信号に基づいて、写真シール作成ゲームの代金が投入されたか否かを判定し、投入されていないと判定した場合、処理をステップＳ２２に進め、デモ画面を撮像表示部６３に表示させ、処理をステップＳ２１に戻し、それ以降の処理を繰り返す。
【０１３４】
ステップＳ２１において、代金が投入されたと判定した場合、撮像処理部１５１は、処理をステップ２３に進める。ステップＳ２３において、撮像処理部１５１は、撮像設定処理を行い、撮像の準備をする。ステップＳ２４において、撮像処理部１５１は、所定の時間が経過、または撮像開始ボタンが操作されたか否かを判定し、まだ、所定の時間が経過しておらず、撮像開始ボタンも操作されていないと判定した場合、処理をステップＳ２３に戻し、それ以降の処理を繰り返す。また、ステップＳ２４において、所定の時間が経過した、または、撮像開始ボタンが操作されたと判定した場合、撮像処理部１５１は、処理をステップＳ２５に進め、カウントダウンインジケータを撮像表示部６３に表示させ、カメラ６１を制御して撮像を行う。
【０１３５】
撮像が完了すると、撮像処理部１５１は、ステップＳ２６において、撮像表示部６３に、撮像画像を確認するための画像確認画面を表示させる。ステップＳ２７において、撮像処理部１５１は、利用者からの入力を受け付け、利用者が画像の保存を指示したか否かを判定する。保存の指示があったと判定した場合、撮影処理部１５１は、ステップＳ２８において、記憶部１０４にその画像を保存する。
【０１３６】
ステップＳ２９において、撮像処理部１５１は、所定の時間が経過、または撮像終了を指示したか否かが判定され、所定の時間が経過しておらず、撮像終了の指示もうけていないと判定した場合、処理をステップＳ２６に戻し、それ以降の処理を繰り返す。また、ステップＳ２９において、所定の時間が経過、または撮像終了を指示されたと判定した場合、撮像処理部１５１は、処理をステップＳ３２に進める。
【０１３７】
ステップＳ２７において、画像の保存の指示を受けていないと判定した場合、撮像処理部１５１は、ステップＳ３０に処理を進め、撮像画像を消去する。ステップＳ３１において、撮像処理部１５１は、撮像した画像数が所定の枚数に達したか否かを判定し、所定の枚数に達していないと判定した場合、処理をステップＳ２６に戻し、それ以降の処理を繰り返す。また、ステップＳ３１において、撮像した画像数が所定の枚数に達したと判定した場合、撮像処理部１５１は、処理をステップＳ３２に進める。
【０１３８】
ステップＳ３２において、撮像処理部１５１は、編集部への移動案内画面を撮像表示部６３に表示させ、撮像処理を終了する。
【０１３９】
次に、図１４のフローチャートを参照して、図１２のステップＳ３において実行される編集・印刷準備処理の詳細な流れの例を説明する。
【０１４０】
ステップＳ５１において、編集処理部１５２は、記憶部１０４より、撮像処理部１５１により保存された撮像画像（保存画像）を取得する。保存画像を取得すると、編集処理部１５２は、ステップＳ５２において、編集表示部８１に編集画面を表示させ、編集入力の受け付けを開始し、ステップＳ５３において、その編集入力を反映させた撮像画像（編集画像）を編集表示部８１に表示させる。
【０１４１】
ステップＳ５４において、編集処理部１５２は、所定の時間が経過、または終了ボタンが操作されたか否かを判定し、所定の時間が経過したか、または終了ボタンが操作されたと判定するまで、ステップＳ５３とステップＳ５４の処理を繰り返す。ステップＳ５４において、所定の時間が経過したか、または終了ボタンが操作されたと判定された場合、編集処理部１５２は、処理をステップＳ５５に進め、編集入力の受け付けを終了する。ステップＳ５６において、編集処理部１５２は、編集済みの画像データが印刷用にレイアウトされた印刷データを作成する。
【０１４２】
ステップＳ５７において、アドレス入力受付処理部１５３は、編集表示部８１にアドレス入力用のGUIを表示させ、利用者による、携帯電話機３１の電子メールアドレスの入力を受け付ける。ステップＳ５８において、編集処理部１５２は、得られたアドレスを印刷データに付加し、記憶部１０４に記憶させる。ステップＳ５９において、編集処理部１５２は、印刷データおよびアドレスが正常に保存されたか否かを判定し、保存に失敗した場合、ステップＳ６０において、編集表示部８１にエラーメッセージを表示させ、処理をステップＳ５６に戻し、それ以降の処理を実行させる。
【０１４３】
また、ステップＳ５９において、印刷データおよびアドレスが正常に保存されたと判定した場合、編集処理部１５２は、ステップＳ６１に処理を進め、例えば『このシール機でゲームは終了か？』というメッセージを含むゲーム終了問いかけ画面を編集表示部８１に表示させる。利用者は、この画面に対して、タッチペン８２を操作して応答する。
【０１４４】
利用者が、この写真シール機でゲームを終了すると入力したと判定した場合、編集処理部１５２は、処理をステップＳ６２に進める。ステップＳ６２において、データ送信処理部１５４は、印刷データ、およびその印刷データや利用者の識別情報（例えば、ＩＤや暗証番号等）を、通信部１０６を介して、印刷機２１に送信する。ステップＳ６２の処理が終了すると、移動案内処理部１５５は、ステップＳ６３において、編集表示部８１に、印刷機２１への移動案内画面を表示させ、編集・印刷準備処理を終了する。
【０１４５】
また、ステップＳ６１において、利用者が、この写真シール機でゲームを終了せずに、写真シール機を移動すると入力したと判定した場合、編集処理部１５２は、処理をステップＳ６４に進める。ステップＳ６４において、データ送信処理部１５４は、この場合も、印刷データ、およびその印刷データや利用者の識別情報（例えば、ＩＤや暗証番号等）を、通信部１０６を介して、印刷機２１に送信する。ステップＳ６４の処理が終了すると、移動案内処理部１５５は、ステップＳ６５において、編集表示部８１に、写真シール作成システム１の、他の写真シール機への移動案内画面を表示させ、編集・印刷準備処理を終了する。
【０１４６】
つまり、ステップＳ６１の処理におけるゲームを終了するか否かの問いかけに対して、利用者の応答内容に関わらず（YESであってもNOであっても）、利用者が応答を入力した時点で、データ送信処理部１５４は、印刷データを印刷機２１に転送し、印刷を開始させる（ステップＳ６２およびステップＳ６４）。このようにすることにより、印刷機２１は、利用者が写真シール作成ゲームを連続して複数回行う場合であっても、そのゲーム終了を待たずに、印刷データの印刷を行うことができる。これにより、写真シール作成システム１は、写真シール作成ゲームを、図２のパターンＢに示されるように進めることができ、回転率を向上させることができる。
【０１４７】
図１５は、印刷処理の流れの例を説明するフローチャートである。
【０１４８】
印刷処理が開始されると、ステップＳ８１において、画像データ受信処理部２５１は、印刷データを受け付け、ステップＳ８２において、印刷データを取得したか否かを判定し、取得したと判定するまで、ステップＳ８１およびステップＳ８２の処理を繰り返す。ステップＳ８２において、印刷データを取得したと判定した場合、画像データ受信処理部２５１は、ステップＳ８３に処理を進める。
【０１４９】
ステップＳ８３において、印刷処理部２５２は、プリンタ１７４を制御し、取得した印刷データをシール紙２１２に印刷する。ステップＳ８４において、印刷処理部２５２は、取得した印刷データに付加されたアドレスが新規のアドレスであるか否かを判定し、新規アドレスであると判定した場合、ステップＳ８５に処理を進め、写真シール保管トレイ１７５のトレイ２２１を検索し、未使用トレイが存在するか否かを判定し、存在すると判定した場合、ステップＳ８６に処理を進め、その未使用トレイにそのアドレスを割り当て、印刷された写真シールを、そのアドレスを割り当てた未使用トレイに保管し、印刷処理を終了する。
【０１５０】
また、ステップＳ８５において、全てのトレイ２２１が使用中であり、未使用トレイが存在しないと判定した場合、印刷処理部２５２は、印刷表示部１７１にエラーメッセージを表示する等の、エラー処理を行い、印刷処理を終了する。
【０１５１】
さらに、ステップＳ８４において、印刷データに付加されているアドレスが新規アドレスでないと判定した場合、印刷処理部２５２は、処理をステップＳ８８に進め、印刷された写真シールをそのアドレスに対応するトレイ２２１に保管し、印刷処理を終了する。
【０１５２】
このように、印刷処理部２５２は、写真シール保管トレイ１７５を制御し、写真シールを、利用者毎（利用者のグループ毎）にトレイ２２１を分けて保管する。このように、対応する写真シール機が互いに異なる複数の写真シール（印刷された印刷データの供給元が互いに異なる写真シール）も、利用者毎に分けて管理されるので、印刷機２１は、排出操作を行うトレイを切り替えるだけで、任意の利用者の写真シールをまとめて排出させることができる。つまり、印刷機２１は、写真シールの利用者単位での排出を容易に行うことができる。
【０１５３】
次に、以上のように保管された写真シールの排出に関する処理について説明する。図１６および図１７のフローチャートを参照して、排出処理の流れの例を説明する。
【０１５４】
ステップＳ１０１において、排出処理部１０１は、操作説明画面を印刷表示部１７１に表示する。ステップＳ１０２において、電子メール受付処理部２５４は、携帯電話機３１から電子メールを送信する際の送信先アドレスであるアクセス先アドレスを印刷表示部１７１に表示させる。利用者は、この表示を見て、そのアドレスに電子メールを送信する。なお、このアクセス先アドレスの表示は、文字情報であってもよいが、所定のアクセス先アドレスに電子メールの送信を促す２次元バーコードであってもよい。その場合、利用者は、携帯電話機の２次元バーコードリーダ機能を利用して容易に電子メールをアクセス先アドレスに送信させることができる。
【０１５５】
アクセス先アドレスを表示すると、電子メール受付処理部２５４は、ステップＳ１０３において、電子メールを取得したか否かを判定し、取得したと判定するまで、ステップＳ１０２およびステップＳ１０３の処理を繰り返す。ステップＳ１０３において、電子メールを取得したと判定した場合、電子メール受付処理部２５４は、ステップＳ１０４に処理を進める。ステップＳ１０４において、認証要求処理部２５５は、受信した電子メールの送信元アドレスの認証処理を写真シール機１１乃至写真シール機１３に要求する。ステップＳ１０５において、認証要求処理部２５５は、認証結果を取得し、送信元アドレスが認証されたか否かを判定する。認証に失敗したと判定した場合、認証要求処理部２５５は、ステップＳ１０６に処理を進め、印刷表示部１７１にエラーメッセージを表示させた後、処理をステップＳ１０２に戻し、それ以降の処理を繰り返させる。
【０１５６】
また、ステップＳ１０５において、認証に成功したと判定した場合、認証要求処理部２５５は、処理をステップＳ１０７に進める。ステップＳ１０７において、パスワード処理部２５６は、認証結果に含まれる暗証番号を取得し、ステップＳ１０８において、その暗証番号、および、認証結果に含まれる印刷データの印刷画像（または印刷データに関する情報）に関する情報を、印刷表示部１７１に表示させる。
【０１５７】
図１８は、暗証番号表示画面の構成例を説明する図である。図１８の場合、暗証番号表示画面３０１には、暗証番号（ＹＹＹＹ）とともに、印刷データに関する情報として、各写真シール機の名前と印刷枚数のリストが表示されている。
【０１５８】
もちろん、図１９に示される暗証番号表示画面３１１ように、このリストの代わりに、印刷画像のサムネイル画像を表示するようにしてもよい。この場合の方が利用者は直感的に自分の画像であるか否かを判断することができる。
【０１５９】
パスワード処理部２５６は、さらに、例えば図２０に示されるような、暗証番号入力画面を印刷表示部１７１に表示させる。図２０において、暗証番号入力画面３２１には、「暗証番号を入力」という暗証番号の入力を促すメッセージ付きの暗証番号入力欄、「取り出す」と表示された、暗証番号入力後に利用者が操作することにより、写真シールの取り出しを要求する取り出しボタン３３１、並びに、「やめる」と表示された、利用者が操作することにより、写真シールの取り出しを中止する、やめるボタン３３２が表示されている。
【０１６０】
利用者は、ステップＳ１０８の処理により表示された、暗証番号表示画面の印刷画像に関する情報（例えばサムネイル画像）を参照して、利用者自身が要求する画像であるか否か（利用者のグループが作成した印刷画像であるか否か）を確認し、その場合、印刷画像と同時に表示される暗証番号を、タッチペン１７２を操作して、ステップＳ１０８の処理により表示される暗証番号入力画面３２１に設けられた暗証番号入力欄に入力し、取り出しボタン３３１を操作する。
【０１６１】
ステップＳ１１０において、パスワード処理部２５６は、取り出しボタン３３１が操作されたか否かを判定する。利用者がやめるボタン３３２を操作したと判定した場合、パスワード処理部２５６は、処理をステップＳ１０２に戻し、それ以降の処理を繰り返す。
【０１６２】
また、ステップＳ１１０において、利用者が取り出しボタンを操作したと判定した場合、パスワード処理部２５６は、入力された暗証番号を印刷機用認証装置２０６に供給して認証させ、図１７のステップＳ１２１に処理を進める。図１７のステップＳ１２１において、パスワード処理部２５６は、印刷機用認証装置２０６からの応答に基づいて、暗証番号が認証されたか否か（写真シール機より供給された暗証番号と一致するか否か）を判定する。
【０１６３】
暗証番号の認証が失敗したと判定した場合、パスワード処理部２５６は、ステップＳ１２２に処理を進め、印刷表示部１７１にエラーメッセージを表示させ、ステップＳ１２３において、暗証番号が４回以上入力されたか否かを判定する。まだ３回以下であると判定した場合、パスワード処理部２５６は、処理を図１６のステップＳ１０９に戻し、それ以降の処理を繰り返させる。
【０１６４】
また、図１７のステップＳ１２３において、暗証番号の認証が今回で４回目に達したと判定した場合、パスワード処理部２５６は、処理をステップＳ１２４に進め、これ以上暗証番号入力を行うことができない旨のエラーメッセージを印刷表示部１７１に表示させ、処理を図１６のステップＳ１０２に戻し、それ以降の処理を繰り返させる。なお、このとき、暗証番号の認証回数のカウント値はリセットされる。
【０１６５】
図１７のステップＳ１２１において、暗証番号の認証が成功したと判定した場合、パスワード処理部２５６は、処理をステップＳ１２５に進める。ステップＳ１２５において、排出処理部２５３は、アドレスに対応するトレイ２２１の鍵部２２２を開錠させ、ステップＳ１２６において、そのトレイ２２１に保管されている写真シールを写真シール排出口１７６より排出させ、開錠したトレイ２２１の鍵部２２２を施錠し、排出処理を終了する。
【０１６６】
以上のように、印刷機２１は、印刷した写真シールを、利用者毎にトレイに分けて保管し、利用者が写真シールを受け取りに来たときに、容易にその利用者の写真シールを全てまとめて排出することができる。換言すると、利用者は、連続して複数回写真シール作成ゲームを行った後に、作成した全ての写真シールを印刷機２１より容易に取得することができる。従って、写真シール作成システム１は、利用者の満足度を低下させずに、写真シール作成ゲームの回転率を向上させることができる。さらに、利用者が容易に写真シールを受け取ることができるので、写真シールの受け取りに要する時間も短くすることができ、写真シール受け取り作業による待機時間の発生等、写真シール作成ゲームの進行の妨げを抑制することができる。
【０１６７】
また、印刷機２１は、写真シール排出の際に、利用者の確認を行うことにより、より確実に、利用者に対して正しい写真シールを提供する（排出する）ことができる。なお、画像データおよび利用者（代表者）のアドレス情報の管理は、写真シール機が行うように説明したが、これに限らず、印刷機２１において行うようにしてもよい。その場合、各画像データには、写真シール機のＩＤと、アドレス情報よりなる識別情報が付与されて管理される。
【０１６８】
以上のような印刷機２１において、例えば、写真シールを利用者が受け取るまで保管しているようにすると、トレイ２２１が不足してしまう恐れがある。そこで、トレイ２２１を有効に利用するために、写真シール作成システム１の管理者（例えば写真シール作成システム１が設置された遊戯施設場の従業員）が、印刷機２１に保管されている写真シールを回収することができるようにしてもよい。
【０１６９】
例えば、管理者が印刷機２１に設けられたメンテナンスボタン（図示せず）を操作することにより、印刷機２１はメンテナンスモードに移行する。さらに、管理者が写真シールの回収指示を入力することにより、印刷機２１は、回収処理を実行し、例えば、所定期間以上保管されている写真シールを写真シール回収口１７７に送出する。
【０１７０】
図２１は、回収処理の流れの例を説明するフローチャートである。
【０１７１】
回収処理が開始されると、ステップＳ１４１において、回収処理部２５７は、例えば所定期間以上、開錠されていないトレイ２２１が存在するか否かを判定し、存在すると判定した場合、処理をステップＳ１４２に進め、該当するトレイ２２１を開錠し、その写真シールを回収口に送出させる。管理者は、この回収口に送出された写真シールを回収する。写真シールの回収が終了すると、回収処理部２５７は、回収処理を終了する。ステップＳ１４１において、開錠されていないトレイ２２１が存在しないと判定した場合、回収処理部２５７は、ステップＳ１４２の処理を省略し、回収処理を終了する。
【０１７２】
以上のように、例えば長期間保管されており、利用者が受け取りに来る見込みの低い写真シールを管理者が回収することができるようにすることにより、印刷機２１は、トレイ２２１不足の発生等を抑制し、トレイ２２１をより有効に利用することができる。
【０１７３】
なお、写真シールを回収するか否かの条件（ステップＳ１４１の条件）は、時間以外であってもよく、例えば、保管されている写真シールの枚数であってもよい。また、上述した回収処理は、印刷機２１が、管理者の指示なしに、所定のタイミング（例えば、閉店後）に定期的に実行するようにしてもよいし、何らかのきっかけ（例えば電源起動時）に応じて実行するようにしてもよい。さらに、どのような場合に回収処理を実行するかを予め設定することができるようにしてもよい。
【０１７４】
なお、以上においては、図１５ステップＳ８７において実行されるエラー処理の例として、印刷表示部１７１にエラーメッセージを表示するように説明したが、これ以外にも、例えば、写真シール保管トレイ１７５に、写真シール作成システム１の管理者（例えば写真シール作成システム１が設置された遊戯施設場の従業員）専用のトレイ（写真シールの保管の有無に関わらず、ステップＳ８５において未使用トレイと判定されないトレイ）を予め設けておき、写真シールをその管理者専用トレイに保管させるようにしてもよい。つまり、この場合、作成された写真シールは、通常のトレイが全て使用中であるとき、その管理者専用のトレイに保管される。この管理者専用トレイは、管理者が指示（または許可）しないと開錠および施錠できないようになされている。また、管理者専用トレイには、複数の利用者（グループ）の写真シールが混在して保管される可能性がある。
【０１７５】
従って、この管理者専用トレイに保管されている写真シールは、一旦、管理者が受け取り、写真シールに印刷された電子メールアドレスや撮影画像を参照することにより、適切な利用者（その写真シールに対応する利用者）に配布する。
【０１７６】
例えば、印刷機２１は、利用者が写真シールを受け取る際に、写真シールが管理者専用トレイに保管されていることを通知する。具体的には、排出処理部２５３（図９）が、排出処理のステップＳ１２５乃至ステップＳ１２７（図１７）の処理の代わりに、写真シールが管理者専用トレイに保管されている旨を通知するメッセージや、管理者に問い合わせることを促すメッセージ等を、印刷表示部１７１に表示させたり、そのメッセージを読み上げる音声を印刷入力用スピーカ１７３−１および印刷入力用スピーカ１７３−２より出力させたりする。利用者は、この通知を受けて、管理者に写真シールを要求する。管理者は、管理者専用トレイを開錠し、そこに保管されている写真シールを写真シール回収口１７７（または写真シール排出口１７６）より受け取り、その中から、要求した利用者に該当するものを選別して渡す。
【０１７７】
このようにすることにより、通常のトレイが全て使用中である場合も、実行中の写真シール作成ゲームの流れを止めることなく、利用者に写真シールを正しく提供することができる。つまり、写真シール保管トレイ１７５をより有効に利用することができ、結果として、利用者の満足度を向上させるとともに、回転率の低減を抑制することができるので、店舗の収益率が向上することが見込まれる。
【０１７８】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークやリムーバブルメディア等の記録媒体からインストールされる。
【０１７９】
以上において、印刷媒体は、シール紙に限られるものではなく、例えば、所定のサイズの紙や、ポスター用の紙、テレホンカードなどのカード、あるいは、Ｔシャツなどの布地などに印刷するようにしてもよい。
【０１８０】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１８１】
また、本明細書において、システムとは、複数の装置により構成される装置全体を表すものである。
【図面の簡単な説明】
【０１８２】
【図１】本発明を適用した写真シール作成システムの一実施の形態の外観構成例を示す斜視図である。
【図２】写真シール作成ゲームの進行の例を説明する図である。
【図３】図１の写真シール機の斜視図である。
【図４】図１の写真シール機を、図３と異なる角度より見た場合の斜視図である。
【図５】写真シール機の内部の構成例を示すブロック図である。
【図６】図５の撮像編集制御装置１０１の詳細な構成例を示すブロック図である。
【図７】図１の印刷機２１の斜視図である。
【図８】印刷機２１の内部の構成例を示すブロック図である。
【図９】図８の印刷制御装置１９１の詳細な構成例を示すブロック図である。
【図１０】写真シール作成ゲームにおける各装置の処理の流れの例を説明する図である。
【図１１】画像データの管理方法の例を説明する図である。
【図１２】写真シール作成ゲーム処理の流れの例を説明する図である。
【図１３】図１２のステップＳ２において実行される撮影処理の詳細な流れの例を説明するフローチャートである。
【図１４】図１２のステップＳ３において実行される編集・印刷準備処理の詳細な流れの例を説明するフローチャートである。
【図１５】印刷処理の流れの例を説明するフローチャートである。
【図１６】排出処理の流れの例を説明するフローチャートである。
【図１７】排出処理の流れの例を説明する、図１６に続くフローチャートである。
【図１８】暗証番号表示画面の構成例を示す図である。
【図１９】暗証番号表示画面の他の構成例を示す図である。
【図２０】暗証番号入力画面の構成例を示す図である。
【図２１】回収処理の流れの例を説明するフローチャートである。
【符号の説明】
【０１８３】
１  写真シール作成システム
１０  イントラネット
１１  写真シール機
１２  写真シール機
１３  写真シール機
２１  印刷機
３１  携帯型電話機
５３  撮像空間
５４  編集空間
１０１  撮像編集制御装置
１０６  通信部
１５４  データ送信処理部
１７４  プリンタ
１７５  写真シール保管トレイ
１７６  写真シール排出口
１７７  写真シール回収口
１９１  印刷制御装置
１９２  印刷部
２０１  通信部
２５１  画像データ受診処理部
２５３  排出処理部
２５７  回収処理部
【図１】
0004655223.tif 000002
【図２】
0004655223.tif 000003
【図３】
0004655223.tif 000004
【図４】
0004655223.tif 000005
【図５】
0004655223.tif 000006
【図６】
0004655223.tif 000007
【図７】
0004655223.tif 000008
【図８】
0004655223.tif 000009
【図９】
0004655223.tif 000010
【図１０】
0004655223.tif 000011
【図１１】
0004655223.tif 000012
【図１２】
0004655223.tif 000013
【図１３】
0004655223.tif 000014
【図１４】
0004655223.tif 000015
【図１５】
0004655223.tif 000016
【図１６】
0004655223.tif 000017
【図１７】
0004655223.tif 000018
【図１８】
0004655223.tif 000019
【図１９】
0004655223.tif 000020
【図２０】
0004655223.tif 000021
【図２１】
0004655223.tif 000022